(57)【特許請求の範囲】
【請求項１】
無線基地局が、バンド幅の狭い順に重複する複数のバンドを通知するバンド指示子を報知する工程と、
移動局が、受信した前記バンド指示子によって最も先に通知された対応可能なバンドにて接続処理を行う工程とを有することを特徴とする移動通信方法。
【発明の詳細な説明】
【技術分野】
【０００１】
本発明は、移動通信方法及び移動局に関する。
【背景技術】
【０００２】
Ｗ-ＣＤＭＡ方式及びＬＴＥ（Ｌｏｎｇ  Ｔｅｒｍ  Ｅｖｏｌｕｔｉｏｎ）方式では、無線基地局ＢＳが、移動局ＵＥが接続すべきバンド（Ｂａｎｄ、帯域）を通知する「Ｂａｎｄ  Ｉｎｄｉｃａｔｏｒ」を報知するように構成されている。
【０００３】
ここで、無線基地局ＢＳは、１つの「Ｂａｎｄ  Ｉｎｄｉｃａｔｏｒ」のみを報知するように構成されている。
【０００４】
一方、移動局ＵＥは、認証試験に合格したバンドのみで接続処理を行うことができるように構成されている。
【０００５】
すなわち、移動局ＵＥは、無線基地局ＢＳによって、認証試験に合格したバンドと同じ周波数帯域の別のバンドが通知された場合には、通知されたバンドにて接続処理を行うことができないように構成されている。
【先行技術文献】
【非特許文献】
【０００６】
【非特許文献１】３ＧＰＰ  ＴＳ２５.１０１
【非特許文献２】３ＧＰＰ  ＴＳ３６.１０１
【非特許文献３】３ＧＰＰ寄書  Ｒ４-１１３３１０、「ＬＳ  ｏｎ  Ｓｉｇｎａｌｌｉｎｇ  ｏｆ  ａｄｄｉｔｉｏｎａｌ  ｆｒｅｑｕｅｎｃｙ  ｂａｎｄ  ｉｎｄｉｃａｔｏｒｓ」
【発明の概要】
【発明が解決しようとする課題】
【０００７】
上述のように、Ｗ-ＣＤＭＡ方式（Ｒｅｌｅａｓｅ９９-１０方式）及びＬＴＥ方式（Ｒｅｌｅａｓｅ８-１０方式）では、移動局ＵＥは、接続処理を行う可能性がある全てのバンドについて認証試験に合格する必要があった。
【０００８】
ここで、Ｒｅｌｅａｓｅ１１方式以降では、無線基地局ＢＳが、既存の「Ｂａｎｄ  Ｉｎｄｉｃａｔｏｒ」に加えて、グローバルバンドを通知するための「Ｅｑｕｉｖａｌｅｎｔ  Ｂａｎｄ  Ｉｎｄｉｃａｔｏｒ」を報知することが提案されている。
【０００９】
しかしながら、移動局ＵＥは、受信した「Ｂａｎｄ  Ｉｎｄｉｃａｔｏｒ」及び「Ｅｑｕｉｖａｌｅｎｔ  Ｂａｎｄ  Ｉｎｄｉｃａｔｏｒ」のどちらに応じて接続処理を行うべきかについて規定されていないという問題点があった。
【００１０】
そこで、本発明は、上述の課題に鑑みてなされたものであり、「Ｅｑｕｉｖａｌｅｎｔ  Ｂａｎｄ  Ｉｎｄｉｃａｔｏｒ」を適切に使用することができる移動通信方法及び移動局を提供することを目的とする。
【課題を解決するための手段】
【００１２】
本発明の第２の特徴は、移動通信方法であって、無線基地局が、バンド幅の狭い順に重複する複数のバンドを通知するバンド指示子を報知する工程と、移動局が、受信した前記バンド指示子によって最も先に通知された対応可能なバンドにて接続処理を行う工程とを有することを要旨とする。
【発明の効果】
【００１５】
以上説明したように、本発明によれば、「Ｅｑｕｉｖａｌｅｎｔ  Ｂａｎｄ  Ｉｎｄｉｃａｔｏｒ」を適切に使用することができる移動通信方法及び移動局を提供することができる。
【図面の簡単な説明】
【００１６】
【図１】本発明の第１の実施形態に係る移動通信システムの全体構成図である。
【図２】本発明の第１の実施形態に係る移動通信システムで用いられるバンドの一例を通知する図である。
【図３】本発明の第１の実施形態に係る無線基地局の機能ブロック図である。
【図４】本発明の第１の実施形態に係る移動局の機能ブロック図である。
【図５】本発明の第１の実施形態に係る移動局の動作を示すフローチャートである。
【図６】本発明の変更例１に係る移動局の動作を示すフローチャートである。
【発明を実施するための形態】
【００１７】
（本発明の第１の実施形態に係る移動通信システム）
図１乃至図５を参照して、本発明の第１の実施形態に係る移動通信システムについて説明する。本実施形態を説明するための全図において、同一機能を有するものは同一符号を用い、繰り返しの説明は省略する。
【００１８】
図１に示すように、本実施形態に係る移動通信システムは、無線基地局ＢＳを具備している。
【００１９】
例えば、本実施形態に係る移動通信システムにおいて、図２に示すように、日本国内で、バンド１８（Ｂ１８）/１９（Ｂ１９）が用いられ、米国国内で、バンド５（Ｂ５）が用いられることを想定する。
【００２０】
なお、本明細書では、ＬＴＥ／ＬＴＥ-Ａｄｖａｎｃｅｄ方式に対応するバンド番号（数字）を用いてバンドを特定することにするが、本発明は、Ｗ-ＣＤＭＡ方式のバンド番号（ローマ数字）を用いてバンドを特定する場合にも適用することができる。
【００２１】
ここで、バンド１８は、８１５ＭＨｚから８３０ＭＨｚまでの１５Ｍｚのバンド幅及び８６０ＭＨｚから８７５ＭＨｚまでの１５Ｍｚのバンド幅を有するものであり、Ａ社によって利用されることが想定されている。
【００２２】
また、バンド１９は、８３０ＭＨｚから８４５ＭＨｚまでの１５Ｍｚのバンド幅及び８７５ＭＨｚから８９０ＭＨｚまでの１５Ｍｚのバンド幅を有するものであり、Ｂ社によって利用されることが想定されている。
【００２３】
さらに、バンド５は、８２４ＭＨｚから８４９ＭＨｚまでの２５Ｍｚのバンド幅及び８６９ＭＨｚから８９４ＭＨｚまでの２５Ｍｚのバンド幅を有するものであることが想定されている。
【００２４】
なお、バンド５/１８/１９は、いずれも、ＬＴＥ方式（Ｒｅｌｅａｓｅ８-１０）で用いられていた既存のバンドである。また、図２に示すように、バンド５及びバンド１８/１９は、重複するように構成されている。
【００２５】
一方、バンド２６は、広範囲で利用が検討されているグローバルバンドであり、多くの地域の周波数割り当てを考慮するために広い帯域が定義され、８１４ＭＨｚから８４９ＭＨｚまでの３５Ｍｚのバンド幅及び８５９ＭＨｚから８９４ＭＨｚまでの３５Ｍｚのバンド幅を有するものであることが想定されている。
【００２６】
なお、図２に示すように、バンド２６及びバンド５/１８/１９は、重複するように構成されている。
【００２７】
本実施形態に係る無線基地局ＢＳは、図３に示すように、管理部２１と、送信部２２とを具備している。
【００２８】
管理部２１は、本実施形態に係る移動通信システムで使用されているバンド構成について管理するように構成されている。例えば、管理部２１は、図２に示すようなバンド構成について管理するように構成されている。
【００２９】
送信部２２は、管理部２１によって管理されているバンド構成を参照して、「Ｂａｎｄ  Ｉｎｄｉｃａｔｏｒ」及び「Ｅｑｕｉｖａｌｅｎｔ  Ｂａｎｄ  Ｉｎｄｉｃａｔｏｒ」を報知するように構成されている。
【００３０】
例えば、日本国内のＡ社の無線基地局ＢＳでは、送信部２２は、バンド１８を通知する「Ｂａｎｄ  Ｉｎｄｉｃａｔｏｒ」を通知すると共に、バンド５/Ｂ２６を通知する「Ｅｑｕｉｖａｌｅｎｔ  Ｂａｎｄ  Ｉｎｄｉｃａｔｏｒ」を報知するように構成されている。
【００３１】
ここで、かかる「Ｅｑｕｉｖａｌｅｎｔ  Ｂａｎｄ  Ｉｎｄｉｃａｔｏｒ」は、複数のバンドを通知する場合には、バンド５→バンド２６というように、バンド幅の狭い順に通知するように構成されている。
【００３２】
また、日本国内のＢ社の無線基地局ＢＳでは、送信部２２は、バンド１９を通知する「Ｂａｎｄ  Ｉｎｄｉｃａｔｏｒ」を通知する共に、バンド５/２６を通知する「Ｅｑｕｉｖａｌｅｎｔ  Ｂａｎｄ  Ｉｎｄｉｃａｔｏｒ」を報知するように構成されている。
【００３３】
ここで、かかる「Ｅｑｕｉｖａｌｅｎｔ  Ｂａｎｄ  Ｉｎｄｉｃａｔｏｒ」は、複数のバンドを通知する場合には、バンド５→バンド２６というように、バンド幅の狭い順に通知するように構成されている。
【００３４】
さらに、米国内のオペレータの無線基地局ＢＳでは、送信部２２は、バンド５を通知する「Ｂａｎｄ  Ｉｎｄｉｃａｔｏｒ」を通知する共に、バンド１９/２６を通知する「Ｅｑｕｉｖａｌｅｎｔ  Ｂａｎｄ  Ｉｎｄｉｃａｔｏｒ」を報知するように構成されている。
【００３５】
ここで、かかる「Ｅｑｕｉｖａｌｅｎｔ  Ｂａｎｄ  Ｉｎｄｉｃａｔｏｒ」は、複数のバンドを通知する場合には、バンド１９→バンド２６というように、バンド幅の狭い順に通知するように構成されている。
【００３６】
本実施形態に係る移動局ＵＥは、図４に示すように、受信部１１と、決定部１２と、接続処理部１３とを具備している。
【００３７】
受信部１１は、無線基地局ＢＳから、各種信号を受信するように構成されている。
【００３８】
例えば、受信部１１は、無線基地局ＢＳから、「Ｂａｎｄ  Ｉｎｄｉｃａｔｏｒ」及び「Ｅｑｕｉｖａｌｅｎｔ  Ｂａｎｄ  Ｉｎｄｉｃａｔｏｒ」を受信するように構成されている。
【００３９】
判定部１２は、受信部１１によって受信された「Ｂａｎｄ  Ｉｎｄｉｃａｔｏｒ」によって通知されたバンド（例えば、バンド５/１８/１９）に対応可能であるか否かについて判定するように構成されている。
【００４０】
また、判定部１２は、受信部１１によって受信された「Ｂａｎｄ  Ｉｎｄｉｃａｔｏｒ」によって通知されたバンド（例えば、バンド５/１８/１９）に対応可能でないと判定した場合に、受信部１１によって受信された「Ｅｑｕｉｖａｌｅｎｔ  Ｂａｎｄ  Ｉｎｄｉｃａｔｏｒ」によって通知されたバンド（例えば、Ｂ５/Ｂ１９/Ｂ２６）に対応可能であるか否かについて判定するように構成されている。
【００４１】
接続処理部１３は、無線基地局ＢＳ配下のセルにおいて接続処理を行うように構成されている。
【００４２】
具体的には、接続処理部１３は、判定部１２によって「Ｂａｎｄ  Ｉｎｄｉｃａｔｏｒ」によって通知されたバンド（例えば、バンド５/バンド１８/バンド１９）に対応可能であると判定された場合、かかるバンド（例えば、バンド１８/バンド１９/バンド５）にて接続処理を行うように構成されている。
【００４３】
また、接続処理部１３は、判定部１２によって「Ｂａｎｄ  Ｉｎｄｉｃａｔｏｒ」によって通知されたバンド（例えば、バンド５/１８/１９）に対応可能でないと判定された場合で、かつ、判定部１２によって「Ｅｑｕｉｖａｌｅｎｔ  Ｂａｎｄ  Ｉｎｄｉｃａｔｏｒ」によって通知されたバンド（例えば、Ｂ５/Ｂ１９/Ｂ２６）に対応可能である場合、かかるバンド（例えば、Ｂ５/Ｂ１９/Ｂ２６）にて接続処理を行うように構成されている。
【００４４】
ここで、接続処理部１３は、「Ｅｑｕｉｖａｌｅｎｔ  Ｂａｎｄ  Ｉｎｄｉｃａｔｏｒ」によって通知された順序で、ＲＦ特性を担保するように、かかるバンド（例えば、バンド５/１９/２６）に接続するように構成されている。
【００４５】
以下、図５を参照して、本実施形態に係る移動局ＵＥが接続処理を行う際の動作の一例について説明する。
【００４６】
図５に示すように、移動局ＵＥは、ステップＳ１０１において、受信した「Ｂａｎｄ  Ｉｎｄｉｃａｔｏｒ」を確認し、ステップＳ１０２において、かかる「Ｂａｎｄ  Ｉｎｄｉｃａｔｏｒ」によって通知されたバンド（例えば、バンド５/１８/１９）に対応可能であるか否かについて判定する。
【００４７】
「ＹＥＳ」の場合、本動作は、ステップＳ１０３に進み、「ＮＯ」の場合、本動作は、ステップＳ１０４に進む。
【００４８】
ステップＳ１０３において、移動局ＵＥは、かかる「Ｂａｎｄ  Ｉｎｄｉｃａｔｏｒ」によって通知されたバンド（例えば、バンド５/１８/１９）にて接続処理を行う。
【００４９】
一方、移動局ＵＥは、ステップＳ１０４において、受信した「Ｅｑｕｉｖａｌｅｎｔ  Ｂａｎｄ  Ｉｎｄｉｃａｔｏｒ」を確認し、ステップＳ１０５において、「ｉ＝１」とし、ステップＳ１０６において、「Ｅｑｕｉｖａｌｅｎｔ  Ｂａｎｄ  Ｉｎｄｉｃａｔｏｒ」によってｉ番目に通知されたバンドに対応可能であるか否かについて判定する。
【００５０】
「ＹＥＳ」の場合、本動作は、ステップＳ１０７に進み、「ＮＯ」の場合、本動作は、ステップＳ１０８に進む。
【００５１】
ステップＳ１０７において、移動局ＵＥは、「Ｅｑｕｉｖａｌｅｎｔ  Ｂａｎｄ  Ｉｎｄｉｃａｔｏｒ」によってｉ番目に通知されたバンドにて接続処理を行う。
【００５２】
一方、移動局ＵＥは、ステップＳ１０８において、「ｉ＝ｉ＋１」とし、ステップＳ１０９において、「ｉ」が「Ｅｑｕｉｖａｌｅｎｔ  Ｂａｎｄ  Ｉｎｄｉｃａｔｏｒ」によって通知されているバンドの数と同じであるか否かについて判定する。
【００５３】
「ＹＥＳ」の場合、本動作は、ステップＳ１１０に進み、「ＮＯ」の場合、本動作は、ステップＳ１０６に戻る。
【００５４】
ステップＳ１１０において、移動局ＵＥは、他の周波数帯域をサーチする。なお、１つの周波数帯域にて、１つの「Ｂａｎｄ  Ｉｎｄｉｃａｔｏｒ」のみが通知されるように構成されている。
【００５５】
本発明の第１の実施形態に係る移動通信システムによれば、移動局ＵＥは、「Ｂａｎｄ  Ｉｎｄｉｃａｔｏｒ」及び「Ｅｑｕｉｖａｌｅｎｔ  Ｂａｎｄ  Ｉｎｄｉｃａｔｏｒ」の両方を受信した場合であっても、適切なバンドにて接続処理を行うことができる。
【００５６】
（変更例１）
以下、図６を参照して、本発明の変更例１に係る移動通信システムについて、上述の第１の実施形態に係る移動通信システムとの相違点に着目して説明する。
【００５７】
本変更例１に係る移動通信システムにおいて、無線基地局ＢＳの送信部２２は、管理部２１によって管理されているバンド構成を参照して、「Ｅｑｕｉｖａｌｅｎｔ  Ｂａｎｄ  Ｉｎｄｉｃａｔｏｒ」内に「Ｂａｎｄ  Ｉｎｄｉｃａｔｏｒ」を含めて報知するように構成されている。
【００５８】
例えば、日本国内のＢ社の無線基地局ＢＳでは、送信部２２は、バンド５/１９/２６を通知する「Ｅｑｕｉｖａｌｅｎｔ  Ｂａｎｄ  Ｉｎｄｉｃａｔｏｒ」を報知するように構成されている。
【００５９】
ここで、かかる「Ｅｑｕｉｖａｌｅｎｔ  Ｂａｎｄ  Ｉｎｄｉｃａｔｏｒ」は、複数のバンドを通知する場合には、バンド１９→バンド５→バンド２６というように、バンド幅の狭い順に通知するように構成されている。
【００６０】
また、米国内のオペレータの無線基地局ＢＳでは、送信部２２は、バンド５/１９/２６を通知する「Ｅｑｕｉｖａｌｅｎｔ  Ｂａｎｄ  Ｉｎｄｉｃａｔｏｒ」を報知するように構成されている。
【００６１】
ここで、かかる「Ｅｑｕｉｖａｌｅｎｔ  Ｂａｎｄ  Ｉｎｄｉｃａｔｏｒ」は、複数のバンドを通知する場合には、バンド１９→バンド５→バンド２６というように、バンド幅の狭い順に通知するように構成されている。
【００６２】
本変更例１に係る移動通信システムにおいて、移動局ＵＥの判定部１２は、受信部１１によって受信された「Ｅｑｕｉｖａｌｅｎｔ  Ｂａｎｄ  Ｉｎｄｉｃａｔｏｒ」によって通知されたバンドについて、通知された順に対応可能であるか否かについて判定するように構成されている。
【００６３】
ここで、判定部１２は、対応可能であるバンドを検出するまで、上述の判定を続けるように構成されている。
【００６４】
以下、図６を参照して、本実施形態に係る移動局ＵＥが接続処理を行う際の動作の一例について説明する。
【００６５】
図６に示すように、移動局ＵＥは、ステップＳ２０１において、受信した「Ｅｑｕｉｖａｌｅｎｔ  Ｂａｎｄ  Ｉｎｄｉｃａｔｏｒ」を確認し、ステップＳ２０２において、かかる「Ｅｑｕｉｖａｌｅｎｔ  Ｂａｎｄ  Ｉｎｄｉｃａｔｏｒ」が通知されているか否かについて判定する。
【００６６】
「ＹＥＳ」の場合、本動作は、ステップＳ２０３に進み、「ＮＯ」の場合、本動作は、ステップＳ２０９に進む。
【００６７】
移動局ＵＥは、ステップＳ２０３において、「ｉ＝１」とし、ステップＳ２０４において、「Ｅｑｕｉｖａｌｅｎｔ  Ｂａｎｄ  Ｉｎｄｉｃａｔｏｒ」によってｉ番目に通知されたバンドに対応可能であるか否かについて判定する。
【００６８】
「ＹＥＳ」の場合、本動作は、ステップＳ２０５に進み、「ＮＯ」の場合、本動作は、ステップＳ２０６に進む。
【００６９】
ステップＳ２０６において、移動局ＵＥは、「Ｅｑｕｉｖａｌｅｎｔ  Ｂａｎｄ  Ｉｎｄｉｃａｔｏｒ」によってｉ番目に通知されたバンドにて接続処理を行う。
【００７０】
一方、移動局ＵＥは、ステップＳ２０６において、「ｉ＝ｉ＋１」とし、ステップＳ２０７において、「ｉ」が「Ｅｑｕｉｖａｌｅｎｔ  Ｂａｎｄ  Ｉｎｄｉｃａｔｏｒ」によって通知されているバンドの数と同じであるか否かについて判定する。
【００７１】
「ＹＥＳ」の場合、本動作は、ステップＳ２０８に進み、「ＮＯ」の場合、本動作は、ステップＳ２０４に戻る。
【００７２】
ステップＳ２０８において、移動局ＵＥは、他の周波数帯域をサーチする。
【００７３】
移動局ＵＥは、ステップＳ２０９において、受信した「Ｂａｎｄ  Ｉｎｄｉｃａｔｏｒ」を確認し、ステップＳ２１０において、かかる「Ｂａｎｄ  Ｉｎｄｉｃａｔｏｒ」によって通知されたバンド（例えば、バンド５/１８/１９）に対応可能であるか否かについて判定する。
【００７４】
「ＹＥＳ」の場合、本動作は、ステップＳ２１１に進み、「ＮＯ」の場合、本動作は、ステップＳ２０８に進む。
【００７５】
ステップＳ２１１において、移動局ＵＥは、かかる「Ｂａｎｄ  Ｉｎｄｉｃａｔｏｒ」によって通知されたバンド（例えば、バンド５/１８/１９）にて接続処理を行う。
【００７６】
以上に述べた本実施形態の特徴は、以下のように表現されていてもよい。
【００７７】
本実施形態の第１の特徴は、移動通信方法であって、無線基地局ＢＳが、バンド１９（第１バンド）を通知する「Ｂａｎｄ  Ｉｎｄｉｃａｔｏｒ（第１バンド指示子）」と共に、バンド１９に重複するバンド５/Ｂ２６（第２バンド）を通知する「Ｅｑｕｉｖａｌｅｎｔ  Ｂａｎｄ  Ｉｎｄｉｃａｔｏｒ（第２バンド指示子）」を報知する工程と、移動局ＵＥが、受信した「Ｂａｎｄ  Ｉｎｄｉｃａｔｏｒ」によって通知されたバンド１９に対応可能である場合、バンド１９にて接続処理を行う工程と、移動局ＵＥが、受信した「Ｂａｎｄ  Ｉｎｄｉｃａｔｏｒ」によって通知されたバンド１９に対応可能でない場合で、かつ、受信した「Ｅｑｕｉｖａｌｅｎｔ  Ｂａｎｄ  Ｉｎｄｉｃａｔｏｒ」によって通知されたバンド５又はＢ２６に対応可能である場合、バンド５又はＢ２６にて接続処理を行う工程とを有することを要旨とする。
【００７８】
本実施形態の第２の特徴は、移動通信方法であって、無線基地局ＢＳが、バンド幅の狭い順に重複する複数のバンド１９/Ｂ５/Ｂ２６を通知する「Ｅｑｕｉｖａｌｅｎｔ  Ｂａｎｄ  Ｉｎｄｉｃａｔｏｒ（バンド指示子）」を報知する工程と、移動局ＵＥが、受信した「Ｅｑｕｉｖａｌｅｎｔ  Ｂａｎｄ  Ｉｎｄｉｃａｔｏｒ」によって最も先に通知された対応可能なバンド１９、Ｂ５又はＢ２６にて接続処理を行う工程とを有することを要旨とする。
【００７９】
本実施形態の第３の特徴は、移動局ＵＥであって、「Ｂａｎｄ  Ｉｎｄｉｃａｔｏｒ」及び「Ｅｑｕｉｖａｌｅｎｔ  Ｂａｎｄ  Ｉｎｄｉｃａｔｏｒ」を受信するように構成されている受信部１１と、接続処理を行うように構成されている接続処理部１３とを具備し、接続処理部１３は、受信部１１によって受信された「Ｂａｎｄ  Ｉｎｄｉｃａｔｏｒ」によって通知されたバンド１９に対応可能である場合、バンド１９にて接続処理を行うように構成されており、接続処理部１３は、受信部１１によって受信された「Ｂａｎｄ  Ｉｎｄｉｃａｔｏｒ」によって通知されたバンド１９に対応可能でない場合で、かつ、受信部１１によって受信された「Ｅｑｕｉｖａｌｅｎｔ  Ｂａｎｄ  Ｉｎｄｉｃａｔｏｒ」によって通知されたバンド５又はＢ２６に対応可能である場合、バンド５又はＢ２６にて接続処理を行うように構成されていることを要旨とする。
【００８０】
本実施形態の第４の特徴は、移動局ＵＥであって、「Ｅｑｕｉｖａｌｅｎｔ  Ｂａｎｄ  Ｉｎｄｉｃａｔｏｒ」を受信するように構成されている受信部１１と、受信部１１によって受信された「Ｅｑｕｉｖａｌｅｎｔ  Ｂａｎｄ  Ｉｎｄｉｃａｔｏｒ」によって最も先に通知された対応可能なバンド１９、Ｂ５又はＢ２６にて接続処理を行うように構成されている接続処理部１３とを具備することを要旨とする。
【００８１】
なお、上述の無線基地局ＢＳ及び移動局ＵＥの動作は、ハードウェアによって実施されてもよいし、プロセッサによって実行されるソフトウェアモジュールによって実施されてもよいし、両者の組み合わせによって実施されてもよい。
【００８２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＢＳ及び移動局ＵＥ内に設けられていてもよい。また、かかる記憶媒体及びプロセッサは、ディスクリートコンポーネントとして無線基地局ＢＳ及び移動局ＵＥ内に設けられていてもよい。
【００８４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８５】
ＵＥ…移動局
１１…受信部
１２…決定部
１３…接続処理部
ＢＳ…無線基地局
２１…管理部
２２…送信部
【図１】
0005483621.tif 000002
【図２】
0005483621.tif 000003
【図３】
0005483621.tif 000004
【図４】
0005483621.tif 000005
【図５】
0005483621.tif 000006
【図６】
0005483621.tif 000007